(57)【要約】  【課題】商品に取り付けたファスナーチエンをスライダーの表裏に取り付けた引手を使って内側、または外側で別々に操作できる自動停止装置付両面スライダーを提供する。  【解決手段】上翼板２、下翼板３、案内柱４から形成した胴体１に対し、前面および表面、裏面において前後に摺動するＵ字状の作動杆２０を胴体１に取り付け、この作動杆２０の表面側１０、裏面側１１の側面に引手装着用の引手ガイド溝２１を設けて引手３８を装着し、作動杆２０の前後への作動に従動する爪杆３０の停止爪３１を胴体１のエレメントガイド溝６に出没自在に形成し、引手ガイド溝２１の前端に引手３８の軸部３９が当接する前端部２２を設け、引手３８の前方への移動を阻止するとともに、表裏の引手３８が互いに重なり合わないように形成した自動停止装置付両面スライダーであり、特にテントなどに用いて便利である。  【選択図】図１
2008229002.tif 000002
【特許請求の範囲】
【請求項１】
上翼板２、下翼板３、案内柱４から形成した胴体１に対し、胴体１の前面を通って、上翼板２、下翼板３上を前後に摺動可能に形成した作動杆２０を取り付け、胴体１に作動杆２０の作動に従動して爪杆３０の停止爪３１をエレメントガイド溝６に出没可能に形成し、作動杆２０の表面側１０の側面と裏面側１１の側面に引手装着用の引手ガイド溝２１を刻設して引手３８を装着し、それぞれの引手ガイド溝２１の前端に引手３８の軸部３９が当接する前端部２２を具備してなることを特徴とする自動停止装置付両面スライドファスナー用スライダー。
【請求項２】
作動杆２０に刻設する引手ガイド溝２１は、胴体１の上翼板２と下翼板３に対し平行な直線状に刻設してなる請求項１記載の自動停止装置付両面スライドファスナー用スライダー。
【請求項３】
引手ガイド溝２１の前端部２２は、表面側１０の側面と裏面側１１の側面とでは、設置位置を異にし、それに伴い胴体１および作動杆２０の前端も表面側１０と裏面側１１では曲率を異にした形状に形成してなる請求項１記載の自動停止装置付両面スライドファスナー用スライダー。
【請求項４】
引手ガイド溝２１と同厚の摺動凹部２５を作動杆２０の前側に設け、該摺動凹部２５を胴体１に設けた摺動溝１４に嵌入し摺動可能に形成してなる請求項１記載の自動停止装置付両面スライドファスナー用スライダー。
【請求項５】
引手ガイド溝２１の前端部２２と摺動凹部２５とは、非連接状に形成してなる請求項１記載の自動停止装置付両面スライドファスナー用スライダー。
【発明の詳細な説明】
【技術分野】
【０００１】
この発明は、スライダーを前後に摺動操作を行うことができる引手を、スライダーの胴体の表面および裏面の両面にそれぞれ個別に取り付け、必要なとき、スライダーを内側または外側から開閉操作を行うことができ、かつスライダーをファスナーチエンの随所で停止させ固定することができる自動停止機構を備えた両面スライドファスナー用スライダーに関するものである。
【背景技術】
【０００２】
従来、スライダー胴体の表側および裏側にそれぞれ引手を装備した両面二枚引手のスライダーは、図１２に示すように、胴体の表面側の前後すなわち肩口側と後口側に、一方に停止爪、他方に連動杆を突設した揺動体を嵌め込み、胴体の裏面側には停止爪のない連動杆のみを突設した揺動体を嵌め込み、案内柱に穿設した貫通する溝孔に上下の連動杆を挿入して両者を関連させ、表側の引手を引っ張ると上側の揺動体を持ち上げて停止爪をエレメントガイド溝から後退させ、また裏側の引手を引っ張ると下側の揺動体を持ち上げ、同時に上側の揺動体を押圧し停止爪をエレメントガイド溝から後退させる両面二枚引手のスライダーが知られている。
【０００３】
また、図１３，１４に示すように、引手廻動タイプのスライダーは、引手が胴体の上翼板、下翼板、案内柱の前面を廻動できるＵ字状ガイド杆を胴体に配し、このＵ字状ガイド杆は内側に沿って断面Ｔ字形の引手ガイド部を設け、この引手ガイド部に一枚の引手を廻動自在に装着し、Ｕ字状ガイド杆に設けた長孔に停止杆の突片を差込み、引手をＵ字状ガイド杆の引手ガイド部に沿って胴体の肩口側（図示の左側）へ引っ張ると、Ｕ字状ガイド杆は案内柱に内蔵したスプリングを停止杆のフック片で押圧し、停止杆の停止爪をエレメントガイド溝から後退させることにより、スライダー胴体を前後に摺動させることができる引手廻動タイプのスライダーが知られている。
【特許文献１】実公昭５６−３７６０６号公報
【特許文献２】特開２００３−９３１１６号公報
【発明の開示】
【発明が解決しようとする課題】
【０００４】
前項で述べた、図１２に示す両面二枚引手のスライダーは、引手を装着した揺動体を介して停止爪をエレメントガイド溝から後退させ、スライダーを摺動させるものであるから、部品点数が多く構造が複雑である。特に胴体の裏面側の引手を操作するときは、揺動体を介して停止爪を後退させ摺動させるので、表裏の引手によって停止機構を解除させる作動が表裏で差異があり、表裏の停止機構を同じ効率で作動させるには精度を要求され、この点で問題点がある。
【０００５】
また、図１３，１４に示す引手廻動タイプのスライダーは、一枚の引手を表裏に廻動して操作するときは便利であるが、ファスナーチエンを外側と内側とで個別に操作する必要があるときは、不便である。例えばテントなどの出入口で外側でファスナーチエンの閉鎖操作を行うと引手はテントの外側にあり、テントの内側からはファスナーチエンを開離操作を行うことができない点で問題がある。
【０００６】
この発明は、上述の問題点を考慮して発明されたものであり、この発明のうち請求項１記載の発明は、ファスナーチエンの表裏から個別に開閉操作ができ、特にテントなどにファスナーチエンを取り付けて使用するとき、テントの外側または内側から個別にスライダーの開閉操作を行うことができる便利なスライダーであって、スライダーの構造を簡素化し、表裏二枚の引手が操作のとき、確実にスライダーの所定位置に停止し、安定した摺動機能および停止機能が発揮できる両面二枚引手の自動停止装置付スライドファスナー用スライダーを提供することが主たる目的である。
【０００７】
請求項２記載の発明は、請求項１記載の発明の目的に加え、スライダー胴体に対し、表裏に取り付けた引手を円滑に作動させるため、上下翼板上を直線状にスライドできる形態に形成した自動停止装置付両面スライドファスナー用スライダーを提供することが目的である。
【０００８】
請求項３記載の発明は、請求項１記載の発明の目的に加え、スライダー胴体に対し、表裏に取り付けた引手が、表側と裏側とで引き揃わないように配置位置に差異を付け、それに伴い胴体と作動杆の形状も流線型に形成して摺動抵抗を小さくした自動停止装置付両面スライドファスナー用スライダーを提供することが目的である。
【０００９】
請求項４記載の発明は、請求項１記載の発明の目的に加え、スライダー胴体の先端における側面の体裁を整え、胴体と作動杆との間に隙間を作らず、他物が食い込むことを未然に防止して円滑に摺動動作が行える自動停止装置付両面スライドファスナー用スライダーを提供することが目的である。
【００１０】
請求項５記載の発明は、請求項１記載の発明の目的に加え、スライダー胴体の表裏に取り付けた引手が、所定の軌道から逸脱するのを未然に防ぎ、円滑に摺動動作が行える自動停止装置付両面スライドファスナー用スライダーを提供することが目的である。
【課題を解決するための手段】
【００１１】
前記の目的を達成するため、この発明のうち請求項１記載の発明は、スライダー胴体１が上翼板２、下翼板３これを連結する案内柱４から形成し、このスライダー胴体１に対し、表面側１０と裏面側１１にそれぞれ引手３８を装着するための引手ガイド溝２１を設けた作動杆２０を前後に摺動できるように形成し、この作動杆２０の作動に従動して自動停止機構の爪杆３０の停止爪３１を胴体１に設けたエレメントガイド溝６に出没できるように形成し、引手ガイド溝２１の前端に引手３８を確実に停止させる機能を備えた前端部２２を形成し、スライダーの表裏から開閉操作ができる自動停止装置付両面スライドファスナー用スライダーを主な構成とするものである。
【００１２】
請求項２記載の発明は、請求項１記載の発明の構成に加え、作動杆２０に刻んで設ける引手ガイド溝２１は、スライダー胴体１の上翼板２と下翼板３に対し、平行する直線状を呈するように刻んで設けた自動停止装置付両面スライドファスナー用スライダーである。
【００１３】
請求項３記載の発明は、請求項１記載の発明の構成に加え、作動杆２０に設ける引手装着用の引手ガイド溝２１における前端部２２は、表面側１０の側面と裏面側１１の側面とでは、設置位置が表裏で一致せず異なる形に形成し、それに伴い胴体１および作動杆２０の前面の形状を表面側１０と裏面側１１では曲率を異にした形状に形成した自動停止装置付両面スライドファスナー用スライダーである。
【００１４】
請求項４記載の発明は、請求項１記載の発明の構成に加え、作動杆２０に設ける引手ガイド溝２１と摺動凹部２５とは同じ厚さで形成し、摺動凹部２５は作動杆２０の前側に設け、この摺動凹部２５を胴体１の案内柱４の前面に設けた摺動溝１４に嵌入して摺動できるように形成した自動停止装置付両面スライドファスナー用スライダーである。
【００１５】
請求項５記載の発明は、請求項１記載の発明の構成に加え、作動杆２０に設けた引手ガイド溝２１の前端部２２と、作動杆２０の前側に設けた摺動凹部２５とは、連続することなく個別に設け、非連接状に形成した自動停止装置付両面スライドファスナー用スライダーである。
【発明の効果】
【００１６】
この出願の発明の効果として、請求項１記載の発明は、上翼板、下翼板、案内柱から形成した胴体に対し、胴体の前面を通って、上翼板、下翼板上を前後に摺動可能に形成した作動杆を取り付け、胴体に作動杆の作動に従動して爪杆の停止爪をエレメントガイド溝に出没可能に形成し、作動杆の表面側の側面と裏面側の側面に引手装着用の引手ガイド溝を刻設して引手を装着し、それぞれの引手ガイド溝の前端に引手の軸部が当接する前端部を具備したことによって、下記の効果を奏する。
【００１７】
引手を表面と裏面に別個に作動杆に取り付けているので、スライダーを表面と裏面の引手を利用して別個に操作することができる便利さがある。しかも、それぞれの引手が引手ガイド溝に装着され、その前側で引手の軸部と当接ができる前端部を備えているので、二枚の引手が互いに重なり合うことがなく、また一方側に片寄ることもなく確実に表裏に引手が存在するようにできる。また胴体に対し、作動杆が前後に摺動し、この作動に従動して停止機構の停止爪を胴体のエレメントガイド溝に出没させたので、停止機構を簡素化し確実に自動停止機能を発揮させることができ、特にスライダーをテントなどに利用した場合、テントの外側からファスナーチエンを閉鎖したときでも、テントの内側からファスナーチエンを開離操作することができる自動停止機構を備えた両面二枚引手のスライダーである。
【００１８】
請求項２記載の発明は、請求項１記載の発明の効果に加え、作動杆に刻設する引手ガイド溝は、胴体の上翼板と下翼板に対し平行な直線状に刻設したことによって引手を胴体の両面で直線状に摺動させるので、引手が胴体の前端、または後端に対し、有効に引張力が作用して胴体を円滑かつ確実に前後に摺動させることができる効果がある。
【００１９】
請求項３記載の発明は、請求項１記載の発明の効果に加え、引手ガイド溝の前端部は、表面側の側面と裏面側の側面とでは、設置位置を異にし、それに伴い胴体および作動杆の前端も表面側と裏面側では曲率を異にした形状に形成したことによって、引手ガイド溝の前端部は表面側と裏面側では食い違っているので、表裏の引手は絶対に引き揃うことがないから、引手の把持が容易であり、それに伴って胴体および作動杆の前端も流線型に形成することができ、摺動抵抗を小さくすることができる効果がある。
【００２０】
請求項４記載の発明は、請求項１記載の発明の効果に加え、引手ガイド溝と同厚の摺動凹部を作動杆の前側に設け、該摺動凹部を胴体に設けた摺動溝に嵌入し摺動可能に形成したことによって、胴体の先端における側面の体裁を整えることができ、かつ胴体と作動杆との間に間隙を作成しないから、他物が食い込む弊害がなく、スライダーを円滑に摺動させることができる効果がある。
【００２１】
請求項５記載の発明は、請求項１記載の発明の効果に加え、引手ガイド溝の前端部と摺動凹部とは、非連接状に形成したことによって、表面側と裏面側に取り付けた引手が、それぞれ直線状に摺動する軌道から逸脱して摺動凹部へ脱出する障害を惹起することがなく、正規の軌道を摺動するから、スライダーの摺動動作が円滑に行うことができる効果があるなど、この発明が奏する効果はきわめて顕著である。
【発明を実施するための最良の形態】
【００２２】
この発明における両面二枚引手の自動停止装置付スライドファスナー用スライダーは、図１に示すように胴体１、作動杆２０、爪杆３０、スプリング３６、ピン３７、引手３８（表面側１０、裏面側１１）から形成され、これらの部材は金属製である。胴体１は、図２に示すように、上翼板２と下翼板３とを案内柱４で連結し、上翼板２と下翼板３の幅方向の両側にはフランジ５を曲設してこのフランジ５と案内柱４とで囲まれる略Ｙ字状を呈するエレメントガイド溝６を設けるとともに、案内柱４を前面に延ばし、この延長した部分に表裏すなわち上下へ貫通する摺動溝１４を設ける。また上翼板２と下翼板３の後口９側に断面Ｔ字形の突出部１２を設け、上翼板２の中央において前後方向に延びる突条部１３を突設し、この突条部１３の前側にピン孔１５を設け、さらに上翼板２の後口９側に爪杆３０の停止爪３１が嵌入できる爪孔１６を穿設し、案内柱４の前面すなわち肩口８側の中央で摺動溝１４に面した部分にスプリング収容部１７を設けてスプリング３６を収容する。
【００２３】
胴体１の突出部１２と摺動溝１４に嵌挿される全体がＵ字状で同幅の作動杆２０は、図３に示すように上片２６と下片２７の側面に引手３８が直線状に摺動できる引手ガイド溝２１を凹設し、この引手ガイド溝２１の前後に引手３８の摺動を規制する前端部２２と後端部２３を設け、上片２６の前端部２２と下片２７の前端部２２とは、上片２６の前端部２２が下片２７の前端部２２より前方へ突出して設置位置を異にし、従ってこれに伴い作動杆２０の前面の形状が上片２６側が突び出した流線型に形成し、胴体１の前面も流線型に形成する。また作動杆２０の前側には胴体１の摺動溝１４に収容できる摺動凹部２５を設け、この摺動凹部２５の内側下部にカム部２９を形成して爪杆３０の押圧片３３を押圧することができ、また上片２６で胴体１に穿設したピン孔１５に該当する上方に長孔状の孔部２８を設けて爪杆３０の突片３２を嵌挿できるように形成する。作動杆２０の上片２６と下片２７の端部には断面Ｔ字形の取付溝２４を設けて胴体１の後口９側に設けた突出部１２に嵌装することができる。
【００２４】
爪杆３０は、図４に示すように一端に停止爪３１を設け、他端に上方へ突出する突片３２と、下方へ突出する押圧片３３を設け、突片３２と押圧片３３の中間にピン孔３４を穿設し、ピン孔３４は胴体１に設けたピン孔１５と合致させてピン３７で軸着し、停止爪３１は胴体１の爪孔１６に嵌挿し、突片３２は作動杆２０に設けた孔部２８に嵌入し、また押圧片３３は胴体１のスプリング収容部１７に嵌挿したコイル状スプリング３６を押圧できるようにスプリング３６に当接する。
【００２５】
引手３８は、図１に示すように、一端に摘み部４０を設け、他端に鍵形の軸部３９を両側から対設して、作動杆２０の上片２６と下片２７とに凹設した引手ガイド溝２１にそれぞれ表面側１０の引手３８および裏面側１１の引手３８を嵌入して装着する。
【００２６】
各部材を所定の位置に配して組み立てられた両面二枚引手の自動停止装置付スライドファスナー用スライダーの仕様態様を説明すると、表面側１０の引手３８および裏面側１１の引手３８に引張力が作用しない通常の状態であれば、図７に示すように爪杆３０はスプリング３６の弾力によって押圧片３３を前側に圧し、その結果停止爪３１は胴体１のエレメントガイド溝６へ進出し、ファスナーエレメントに係止してスライダーの摺動はできなくなり、停止状態となる。
【００２７】
次に図８に示すように表面側１０の引手３８または裏面側１１の引手３８（２点鎖線）を胴体１の後口９側、または作動杆２０の後端部２３へ向けて引っ張ると作動杆２０に設けたカム部２９によって、爪杆３０の押圧片３３を押圧するとともに、スプリング３６を圧縮して爪杆３０の停止爪３１を胴体１のエレメントガイド溝６から後退させ、スライダーをファスナーチエンの開離方向へ摺動させることができ、ファスナーチエンを開口することができる。
【００２８】
また、図９に示すように表面側１０の引手３８または裏面側１１の引手３８（２点鎖線）を胴体１の肩口８側、または作動杆２０の前端部２２へ向けて引っ張ると作動杆２０が摺動し、作動杆２０の上片２６に設けた孔部２８によって、爪杆３０の突片３２を押圧して回動し、その結果スプリング３６を圧縮して停止爪３１を胴体１のエレメントガイド溝６から後退させ、スライダーをファスナーチエンの閉鎖方向へ摺動させることができ、ファスナーチエンを閉鎖させることができる。
【００２９】
この両面二枚引手の自動停止装置付スライドファスナー用スライダーは、図１０，１１に示すようにテント４２の出入口の開閉部４３に取り付け使用する場合を説明すると、ファスナーチエンを閉鎖したときスライダーがテント４２の下方に位置するようにファスナーチエンを取り付けると、テント４２から出た人が開閉部４３を外側から閉鎖しても、内部に居る人は内側のスライダーの引手を把持し上方へ引き上げるとファスナーチエンを開離させ開閉部４３を開口させることができる。ファスナーチエンをテント４２の内部に居る人が閉鎖した場合、外部の人は外側のスライダーの引手を把持して上方へ引き上げるとファスナーチエンを開離させ開閉部４３を開口させることができる。従来技術のような引手廻動タイプのスライダーであれば、引手は一方側のみに位置しているため、このような状態であれば利用することができない。
【実施例１】
【００３０】
この発明における両面二枚引手つまり表裏にそれぞれ引手３８を備えた自動停止装置付スライドファスナー用スライダーは、前項で述べたとおり、図１および図７に示すように、胴体１、作動杆２０、爪杆３０、スプリング３６、ピン３７、引手３８から形成され、引手３８は胴体１の表面側１０と裏面側１１に配される二枚の引手３８から形成する。これらの部材は金属製であり、胴体１、作動杆２０、引手３８は亜鉛合金またはアルミニウム合金をダイカスト成形し、爪杆３０は銅合金またはステンレス鋼をプレス成形して形成する。
【００３１】
胴体１は、図２に示すように、上翼板２と下翼板３とを肩口８側で案内柱４によって上下を連結し、上翼板２と下翼板３の両側縁部にフランジ５を互いに近接する内方へ曲設し、上翼板２のフランジ５を高く、下翼板３のフランジ５は低く形成して、このフランジ５と案内柱４とで囲まれ略Ｙ字状を呈するコイル状ファスナーエレメントをガイドするエレメントガイド溝を設ける。ここで、上翼板２側は表面側１０、下翼板３側を裏面側１１とした場合上翼板２と下翼板３とのフランジ５を同高に形成し、単体の金属エレメントまたは樹脂の射出成形エレメントに適したエレメントガイド溝６に形成することもできる。
【００３２】
胴体１の案内柱４の前面を前方へ延ばし、この延長した部分に全体が表裏すなわち上下へ貫通する摺動溝１４を設ける。この延長部分は、上翼板２、下翼板３の肩口８側よりも前方に位置する部分をさす。上翼板２の表面中央に案内柱４の延長部分を含めた全長にわたって背の低い突条部１３を設け、上翼板２における後口９側の所定個所に突条部１３の表面に断面Ｔ字形を呈する突出部１２を突設し、この突出部１２から肩口８側へ向けて全長にわたって突条部１３の中央を切欠して爪杆３０が嵌入できるように形成するとともに、突条部１３の前側すなわち延長部分に幅方向に貫通する円形のピン孔１５を設ける。また胴体１の後口９側における突出部１２の基部に、爪杆３０の停止爪３１が嵌入できる爪孔１６をエレメントガイド溝６へ向け貫通する形で設ける。さらに案内柱４の前面すなわち肩口８側の厚さ方向中央で摺動溝１４に面した部分にコイル状スプリング３６が収容できるスプリング収容部１７を設ける。また下翼板３の後口９側にも上翼板２と同様に所定個所に断面Ｔ字形を呈する突出部１２を表面へ突出する形で設ける。
【００３３】
作動杆２０は、上翼板２、延長部分の前面、下翼板３に連続し一方が開口する全体がＵ字状であり、上翼板２に水平な上片２６（表面側１０）と、下翼板３に水平な下片２７（裏面側１１）とを有し、これらの上片２６と下片２７とが屈曲部によって連結されており、この作動杆２０は、胴体１の案内柱４の延長部分とほぼ同幅で、延長部分を被覆できる幅寸法で形成している。この作動杆２０は、胴体１の上翼板２と下翼板３との後口側に設けた突出部１２と、胴体１の前面に設けた摺動溝１４とに嵌挿されて、前後方向に摺動自在に取り付けられる。図３に示すように、作動杆２０は、上片２６と下片２７との側面に引手３８が直線状に移動できる引手ガイド溝２１を凹状に刻設し、この引手ガイド溝２１の前後位置に、引手３８の摺動を規制する前端部２２と後端部２３とを設けている。
【００３４】
引手ガイド溝２１は作動杆２０の幅方向両側に形成されており、作動杆２０より一段低く、かつ胴体１の延長部分よりも幅が小さく形成される。ここで、上片２６の前端部２２と下片２７の前端部２２とは、図５に示すように、上片２６の前端部２２が下片２７の前端部２２よりも前方へ飛び出した形に設け、上下で設置位置を異にしている。つまり、上片２６の後端部２３と下片２７の後端部２３とは同位置にしているので、上片２６の引手ガイド溝２１の長さは、下片２７の引手ガイド溝２１よりも長く形成されている。これに伴い、作動杆２０の前面である屈曲部の形状が、上方が飛び出した流線型である屈曲部の頂点が上翼板２側に位置するように形成している。また胴体１の延長部前方も同様の流線型に形成している。
【００３５】
それぞれの引手ガイド溝２１の前端部２２に、後述する引手３８の軸部３９が当接した状態で、前方側へ倒伏した時、前端部２２が上下で設置位置を異にしていても、引手は平行状に間隙が生ずる形となる。これは、前端部２２の端面から作動杆２０前面までの寸法を、軸部３９と摘み部４０との隙間により小さくすることで、上記のように平行状とでき、表裏で同じ引手を利用することから、前方側に倒伏した引手が引き揃わない（引手３８の端部が表裏でずれている）ようにできる。上記したものは好ましい実施例であって、前端部２２の設置位置を同じにすることもでき、この場合、胴体１の延長部前端および作動杆２０は前端は曲率が同じ形状とできる。
【００３６】
作動杆２０の前方内側に胴体１の摺動溝１４に収容できる摺動凹部２５を設け、この摺動凹部２５は、前記引手ガイド溝２１の幅方向の厚さと同等である。図６に示すように、作動杆２０は断面Ｔ字状をしており、摺動凹部２５は、胴体１の延長部に形成した摺動溝１４に収容され、摺動溝１４の内面と摺接する部分で、この摺動凹部２５の内側下部に内方へ突出するカム部２９を設けて、爪杆３０に設けた押圧片３３を押圧し、また上片２６で胴体１に設けたピン孔１５の上方に、長孔状の孔部２８を設けて爪杆３０の突片３２を嵌挿できる形に形成する。作動杆２０の上片２６と下片２７の端部の内面に断面Ｔ字形を呈する取付溝２４を設けて、胴体１の上翼板２および下翼板３の後口９側に設けた突出部１２に嵌装することができる。
【００３７】
爪杆３０は、図４に示すように一端に下向きの停止爪３１を設け、他端に上向きに突出する突片３２と、下向きに突出する押圧片３３とを設け、突片３２と押圧片３３の中間部分にピン孔３４を設け、ピン孔３４は胴体１に設けたピン孔１５と合致させてピン３７によって、爪杆３０を回動自在に軸着する。停止爪３１は胴体１の爪孔１６に嵌挿して、常時はエレメントガイド溝６に向けて突出し、ファスナーエレメントに係止して固定する。上向きの突片３２は作動杆２０の上片２６に設けた孔部２８に嵌入して作動杆２０の作動を規制する。また押圧片３３は胴体１のスプリング収容部１７に収容したコイル状スプリング３６の前面を押圧できるようにスプリング３６に当接する。
【００３８】
引手３８は、図１に示すように、一端に摘み部４０を設け、他端に鍵形の軸部３９を両側から対向する形で設け、作動杆２０の上片２６と下片２７における側面に凹設した引手ガイド溝２１に、それぞれ表面側１０の引手３８および裏面側１１の引手３８を嵌め込み、前後に摺動できるように形成する。なお引手３８の形状は任意に形成する。軸部３９は、中間部に間隙があり、その間隙は引手ガイド溝２１の幅方向の厚さよりも広い寸法であるため、両側から対向する軸部３９によって、引手ガイド溝２１を挟むようにして装着される。
【００３９】
スライダーの組立ては、胴体１の案内柱４の前面に設けたスプリング収容部１７にコイル状スプリング３６を収容し、爪杆３０を胴体１の上翼板２の上側に設けた空洞部分および案内柱４の前側に設けた摺動溝１４内に収容し、停止爪３１を爪孔１６へ差し込み、下向きの押圧片３３がコイル状スプリング３６に当接する形で配し、胴体１のピン孔１５と爪杆３０のピン孔３４とを合致させてピン３７を挿通し、爪杆３０を回動自在に軸支する。その上で作動杆２０を胴体１の肩口８側から後口９側へ向けて差込み、胴体１の摺動溝１４に摺動凹部２５を嵌め込み、かつ作動杆２０の上片２６に設けた孔部２８に爪杆３０の突片３２を差し込み、作動杆２０の上片２６および下片２７に設けた断面Ｔ字形の取付溝２４を胴体１の上翼板２および下翼板３に設けた断面Ｔ字形の突出部１２に嵌挿して固定する。そして作動杆２０の上片２６と下片２７の側面に形成した凹状の引手ガイド溝２１に、引手３８の先端に設けた対向する軸部３９を嵌装して、引手３８を前後に摺動できるように形成し、作動杆２０を引手３８の前後動によって作動できるように形成してスライダーを組立てる。
【００４０】
スライダーを組立てた状態において、引手ガイド溝２１の前端部２２と胴体１の延長部分とによって、引手３８が前方へ移動することを規制し、表裏の引手が重ならないようにしている。このため、延長部分の作動杆２０の摺動面前端は、作動杆２０が前方に摺動した状態での引手ガイド溝２１の前端部２２よりも前方に位置している。また、引手ガイド溝２１の上下片２６，２７のそれぞれの前端部２２および後端部２３は、上片２６、下片２７におけるスライダー胴体１との摺動面で、この摺動面の延長線よりも胴体１側に形成しないようにしている。つまり、上片２６が摺動する突条部１３との境界線および、下片２７が摺動する下翼板３との境界線を越えないようにしている。これによって、作動杆２０の摺動時に前端部２２が胴体１の延長部分に接触することがなく、その摺動移動の邪魔とならない。ここで、摺動面前端は上下翼板２，３に水平な部分の端部位置である。
【００４１】
スライダーの使用態様は、表面側１０の引手３８および裏面側１１の引手３８に引張力が作用しない場合であれば、図７に示すように、爪杆３０はスプリング３６の弾発力によって押圧片３３を圧し、その結果停止爪３１は胴体１のエレメントガイド溝６へ進出し、ファスナーエレメントと係止してスライダーの摺動はできない形で停止状態となる。
【００４２】
次に図８に示すように、表面側１０の引手３８または裏面側１１の引手３８を仮想線（二点鎖線で表示）の状態で作動杆２０の後端部２３へ向けて引っ張ると作動杆２０に設けたカム部２９によって、爪杆３０の押圧片３３を押圧するとともに、スプリング３６を圧縮して爪杆３０の停止爪３１を胴体１のエレメントガイド溝６から後退すなわち上方へ退避させて、スライダーをファスナーチエンの開離方向へ摺動させ、ファスナーチエンを開口させることができる。
【００４３】
また、図９に示すように、表面側１０の引手３８または裏面側１１の引手３８を仮想線の状態で作動杆２０の前端部２２へ向けて引っ張ると、作動杆２０の上片２６に設けた孔部２８によって爪杆３０の突片３２を押圧し、爪杆３０を回動して押圧片３３によってスプリング３６を圧縮し、停止爪３１を胴体１のエレメントガイド溝６から後退させ、スライダーをファスナーチエンの閉鎖方向へ摺動させ、ファスナーチエンを閉鎖させることができる。
【００４４】
このスライダーをテントに用いる例を説明すると、図１０，１１に示すようにテント４２の出入口の開閉部４３にファスナーチエンを取り付けるが、このときスライダーは下方に位置するようにしてファスナーチエンが閉鎖状態で取り付け、テント４２内から外側に出た人が開閉部４３のファスナーチエンを外側から閉鎖しても、内部に居る人は内側のスライダーの引手３８を把持し、上方へ引き上げるとファスナーチエンを開離させ開閉部４３を開口させることができる。
【００４５】
ファスナーチエンをテント４２の内部に居る人が閉鎖した場合、外部の人は外側のスライダーの引手３８を把持して上方へ引き上げると、ファスナーチエンを開離させ開閉部４３を開口させることができる。従ってファスナーチエンを外側と内側で操作して開閉できるから大変便利であり、引手廻動タイプのスライダーであれば、このような状態では利用することができない。
【産業上の利用可能性】
【００４６】
この発明の両側二枚引手の自動停止装置付スライドファスナー用スライダーは、テントにおける出入口および窓にファスナーチエンを取り付けて使用する。またトラックの幌に用いてもよく、ファスナーチエンを表側および裏側の両面から別個に操作する物品に利用できる。
【図面の簡単な説明】
【００４７】
【図１】実施例１に基づく両面二枚引手の自動停止装置付スライドファスナー用スライダーの斜視図である。
【図２】同上のスライダーの胴体の断面図である。
【図３】同上のスライダーの作動杆の正面図である。
【図４】同上のスライダーの爪杆の正面図である。
【図５】同上のスライダーの前側の部分拡大図である。
【図６】同上のスライダーの前側の部分断面図である。
【図７】同上のスライダーの作用を示す停止状態におけるスライダーの断面図である。
【図８】同上のスライダーの作用を示す引手を後口側へ引っ張った状態におけるスライダーの断面図である。
【図９】同上のスライダーの作用を示す引手を肩口側へ引っ張った状態におけるスライダーの断面図である。
【図１０】同上のスライダーをテントの出入口に用いたテントの全体図である。
【図１１】同上のスライダーをファスナーチエンに取り付け、引手を垂下した状態図である。
【図１２】公知の両面二枚引手の自動停止装置付スライダーの断面図である。
【図１３】公知の引手廻動タイプのスライダーの正面図である。
【図１４】同上スライダーの断面図である。
【符号の説明】
【００４８】
１      胴体
２      上翼板
３      下翼板
４      案内柱
６      エレメントガイド溝
１０    表面側
１１    裏面側
２０    作動杆
２１    引手ガイド溝
２２    前端部
２５    摺動凹部
３０    爪杆
３１    停止爪
３８    引手
３９    軸部
【図１】
2008229002.tif 000003
【図２】
2008229002.tif 000004
【図３】
2008229002.tif 000005
【図４】
2008229002.tif 000006
【図５】
2008229002.tif 000007
【図６】
2008229002.tif 000008
【図７】
2008229002.tif 000009
【図８】
2008229002.tif 000010
【図９】
2008229002.tif 000011
【図１０】
2008229002.tif 000012
【図１１】
2008229002.tif 000013
【図１２】
2008229002.tif 000014
【図１３】
2008229002.tif 000015
【図１４】
2008229002.tif 000016